(57)【要約】【課題】ユーザが表示部を角度調整すること無く、かつ、表示部の開閉に依存することなく、照明装置しとても利用可能な画像表示装置を得る。【解決手段】画像表示装置は、画像記憶手段（主メモリ１２）と、画像記憶手段に描画された照明画像情報を読み出し、表示モニタへ所定の輝度を持つ単色光を照射する制御手段（主制御装置１１）により構成される。【選択図】図１
2008039927.tif 000002
【特許請求の範囲】
【請求項１】
画像記憶手段と、
前記画像記憶手段に描画された照明画像情報を読み出し、表示モニタへ所定の輝度を持つ単色光を照射する制御手段と、
を備えたことを特徴とする画像表示装置。
【請求項２】
前記制御手段は、
前記画像記憶手段に、表示優先順位を持つレイヤ毎、異なる照明画像情報を書込むとともに、入力イベントに基づき選択されたレイヤより上位の表示優先順位を持つレイヤの画像情報を透明化する制御を行い、それぞれのレイヤに書き込まれた前記照明画像情報を前記表示モニタへ合成表示することを特徴とする請求項１記載の画像表示装置。
【請求項３】
前記制御手段は、
前記入力イベントに基づき前記表示モニタの画面領域を分割し、分割された画面領域のそれぞれに割り当てられる各画像記憶領域に対し、それぞれに選択されたレイヤの照明画像情報を描画し、前記各画像記憶領域に描画された照明画像情報を読み出し、前記表示モニタへ表示することを特徴とする請求項２記載の画像表示装置。
【請求項４】
前記制御手段は、
前記入力イベントに基づき、画面領域が特定されていない画面消去が要求された場合、前記分割された画面領域の数を１減ずる制御を行い、画面領域が特定された画面消去が要求された場合、前記特定された画面領域を消去することを特徴とする請求項３記載の画像表示装置。
【請求項５】
前記制御手段は、
ユーザ入力を取得する入力取得部と、
取得したユーザ入力に基づきイベント種別を判定するイベント判定部と、
前記イベント種別に基づき対応する処理エンジンを起動する処理切替え部と、
表示優先順位を持つレイヤ毎、異なる照明画像が書き込まれたレイヤ画像記憶部と、
前記処理エンジンにより生成される情報に基づき前記レイヤ画像記憶部を制御し、選択されたレイヤより上位の表示優先順位を持つレイヤを透明化し、各レイヤの画像情報を合成するランプ画像制御部と、
前記処理エンジンにより生成される情報に基づき前記表示モニタの画面領域を分割し、前記分割された画面領域のそれぞれに割り当てられる各画像記憶領域の指定位置に、それぞれに選択された前記合成画像を描画する描画制御部と、
を備えたことを特徴とする請求項１記載の画像表示装置。
【請求項６】
入力装置と、
表示モニタと、
前記入力装置からユーザ入力を取得し、前記ユーザ入力に基づくイベント種別を判定して対応する処理エンジンを起動し、前記処理エンジンにより生成される情報に基づき、表示優先順位を持つレイヤ毎、異なる照明画像が書き込まれたレイヤ画像記憶部を制御し、選択されたレイヤより上位の表示優先順位を持つレイヤを透明化し、各レイヤの照明画像情報を合成するとともに、前記処理エンジンにより生成される情報に基づき前記表示モニタの画面領域を分割し、前記分割された画面領域のそれぞれに割り当てられる各画像記憶領域の指定領域に対し、それぞれに選択された前記合成画像を描画する主制御装置と、
前記主制御装置により転送される前記各画像記憶領域に描画された合成画像を表示メモリへ書き込み、前記書き込まれた合成画像を前記表示モニタの表示タイミングに同期して読み出し、前記表示モニタへ表示するグラフィックスコントローラと、
を備えたことを特徴とする画像表示装置。
【発明の詳細な説明】
【技術分野】
【０００１】
この発明は、画像情報を表示してナビゲーション等の各種情報を提供する他に、照明装置としても利用可能であり、特に、車載用途に用いて好適な、画像表示装置に関するものである。
【背景技術】
【０００２】
画像情報を表示してナビゲーション等の各種情報を提供する他に、照明装置としても利用可能な車載画像表示装置が知られている。例えば、従来、液晶ディスプレイを角度調整して画面からの光を下方に向けた場合に、液晶ディスプレイから一定の明るさの単色光を照射させる技術が提案されている（例えば、特許文献１参照）。
また、開閉自在に装着された表示部が開いた状態で、開口部にＣＤ等記録媒体の挿入口が現れる表示装置において、表示部が開いたことを検知した場合にバックライトの輝度を最大とし、開口部の照明を行なう技術も提案されている（例えば、特許文献２参照）。
【０００３】
【特許文献１】特開平５−２２４１７０号公報（段落「０００７」〜「００１８」、図１）
【特許文献２】特開２００３−３２７０５１号公報（段落「０００９」〜「００１０」、図１）
【発明の開示】
【発明が解決しようとする課題】
【０００４】
しかしながら上記した特許文献１に開示された技術によれば、液晶ディスプレイを照明ランプとして利用する場合、液晶ディスプレイを角度調整する操作、およびその機構が必要である。また、特許文献２に開示された技術によれば、表示部が開いた状態になければ照明の働きはせず、照明部分は、記録媒体の挿入口に限定されているという不都合がある。
【０００５】
この発明は、上記した課題を解決するためになされたものであり、ユーザが表示部を角度調整すること無く、かつ、表示部の開閉に依存することなく、照明装置しとても利用可能な画像表示装置を得ることを目的とする。
【課題を解決するための手段】
【０００６】
この発明に係る画像表示装置は、画像記憶手段と、画像記憶手段に描画された照明画像情報を読み出し、表示モニタへ所定の輝度を持つ単色光を照射する制御手段と、を備えたものである。
【０００７】
この発明に係る画像表示装置は、入力装置と、表示モニタと、入力装置からユーザ入力を取得し、ユーザ入力に基づくイベント種別を判定して対応する処理エンジンを起動し、処理エンジンにより生成される情報に基づき、表示優先順位を持つレイヤ毎、異なる照明画像が書き込まれたレイヤ画像記憶部を制御し、選択されたレイヤより上位の表示優先順位を持つレイヤを透明に制御し、各レイヤの照明画像情報を合成するとともに、処理エンジンにより生成される情報に基づき表示モニタの画面領域を分割し、分割された画面領域のそれぞれに割り当てられる各画像記憶領域に対し、それぞれに選択された合成画像を描画する主制御装置と、主制御装置により転送される各画像記憶領域に描画された合成画像を表示メモリへ書き込み、書き込まれた合成画像を表示モニタの表示タイミングに同期して読み出し、表示モニタへ表示するグラフィックスコントローラと、を備えたものである。
【発明の効果】
【０００８】
この発明によれば、画像情報を用いて表示モニタへ所定の輝度を持つ単色光を照射することにより、ユーザが表示部を角度調整すること無く、かつ、表示部の開閉に依存することなく、照明装置しとても利用可能な画像表示装置を得ることができる。
【発明を実施するための最良の形態】
【０００９】
実施の形態１．
図１は、この発明の実施の形態１に係る画像表示装置の内部構成を示すブロック図である。図１における画像表示装置は、カーナビゲーションシステムとして用いられる車載画像表示装置が例示されている。
図１に示す車載画像表示装置は、本体装置１と、入力装置２と、表示モニタ３と、通信機器４とにより構成される。本体装置１は、ＣＰＵを内蔵した主制御装置１１を制御中枢とし、周辺ＬＳＩとして、主メモリ１２、グラフィックスコントローラ１３、表示メモリ１４、ストレージメモリ１５、通信インタフェース１６のそれぞれにより構成される。
【００１０】
主メモリ１２には、プログラム領域（不図示）の他に、モード設定テーブル１２１、カレントランプモードテーブル１２２、画面分割テーブル１２３、選択領域テーブル１２４、表示領域座標テーブル１２５、描画配置テーブル１２６等の各種テーブル領域、そして、後述するレイヤ画像記憶部１２７を含む画像記憶領域として主制御装置１１により利用される作業領域のそれぞれが割り当てられ、格納される。
主制御装置１１は、主メモリ１２のプログラム領域に格納されたプログラムを順次実行することにより周辺ＬＳＩを制御し、画像記憶手段としての主メモリ１２の描画配置テーブル１２６に展開された画像情報を読み出し、グラフィックスコントローラ１３経由で表示モニタ３へ所定の輝度を持つ単色光を照射する制御手段として動作する。
【００１１】
主制御装置１１はまた、接続される入力装置２を介してキー入力を取得し、ユーザ要求に応じた入力イベントの種別を判定し、プログラム領域に格納された、それぞれのイベントの処理に必要なプログラム（処理エンジン）を起動する。
表示メモリ１４には、上記した主制御装置１１によるコントロールの下、グラフィックスコントローラ１３を経由して、描画配置テーブル１２６に展開された画像情報が転送され格納される。グラフィックスコントローラ１３は、表示モニタ３の表示タイミングに同期して表示メモリ１４から画像情報を読み出し、表示モニタ３にその画像情報を表示する。なお、ストレージメモリ１５には、地図情報等比較的大容量の情報が格納されている。また、通信インタフェース１６は、外部接続される携帯電話等、通信機器４との接続インタフェースを司るものであり、この場合、携帯電話を上記した入力装置２の代替として用いることも可能である。
【００１２】
図２は、図１に示す主制御装置の内部構成を機能展開して示したブロック図である。図２に示されるように、主制御装置１１は、処理切替え部１１０と、入力取得部１１１と、イベント判定部１１２と、電源ＯＮ／ＯＦＦ処理部１１３と、画面分割処理部１１４と、画面消去処理部１１５と、選択領域処理部１１６と、モード変更設定処理部１１７と、ランプ変更処理部１１８と、ランプ画像処理部１１９と、描画制御部１２０と、シーケンス制御部１３０とにより構成される。
なお、図２中、図１に示す符号と同じ符号が付されたブロックは、図１に示すそれと同じとする。
【００１３】
入力取得部１１１は、ユーザにより入力装置２が操作されたことを検出し、取得されるユーザ入力情報を、イベント判定部１１２へ出力する機能を持つ。また、イベント判定部１１２は、上記したユーザ入力情報を入力イベントとして解析して処理切替え部１１０による処理切替えを制御する機能を持つ。
処理切替え部１１０は、入力イベントのそれぞれに対応してあらかじめ用意された処理エンジン、すなわち、電源ＯＮ／ＯＦＦ処理部１１３、画面分割処理部１１４、画面消去処理部１１５、選択領域処理部１１６、モード変更設定処理部１１７、ランプ変更処理部１１８のそれぞれを選択起動する機能を持つ。
【００１４】
電源ＯＮ／ＯＦＦ処理部１１３は、電源ＯＮ／ＯＦＦイベントに基づき、画面分割処理部１１４は画面分割イベントに基づき、画面消去処理部１１５は画面消去イベントに基づき、選択領域処理部１１６は選択領域イベントに基づき、モード変更設定処理部１１７はモード設定変更イベントに基づき、ランプ変更処理部１１８はランプ変更イベントに基づき、それぞれ起動され、それぞれ、図２５以降のフローチャートに示されている手順を実行する。詳細は後述する。
また、上記した電源ＯＮ／ＯＦＦ処理部１１３と、画面分割処理部１１４と、画面消去処理部１１５と、選択領域処理部１１６と、モード変更設定処理部１１７と、ランプ変更処理部１１８には、そのデータ構造等について後述する、画面分割テーブル１２３、選択領域テーブル１２４、モード設定テーブル１２１、カレントランプモードテーブル１２２、表示領域座標テーブル１２５、描画配置テーブル１２６のそれぞれが共通に接続されており、これら各テーブル１２１〜１２６は、上記した各処理エンジン１１３〜１１８によって加工処理される。詳細はいずれも後述する。
【００１５】
一方、ランプ画像処理部１１９は、処理エンジン１１３〜１１８のそれぞれによって生成される情報に基づいてレイヤ画像記憶部１２７を制御し、選択されたレイヤより上位の表示優先順位を持つレイヤを透明化し、各レイヤの画像情報を合成して描画制御部１２０へ出力する機能を持つ。
また、描画制御部１２０は、各処理エンジン１１３〜１１８により生成される情報に基づき表示モニタ３の画面領域を分割し、当該分割された画面領域のそれぞれに割り当てられる各画像記憶領域に対してそれぞれに選択された合成画像を描画する。最終的には、この合成画像を描画配置テーブル１２６の表示領域座標テーブル１２５に設定されたアドレスに該当する位置に描画する。そして、描画配置テーブル１２６に描画された合成画像は、グラフィックスコントローラ１３経由で表示メモリ１４へ転送される。
【００１６】
なお、シーケンス制御部１３０は、上記した処理エンジン１１３〜１１８、およびランプ画像処理部１１９、描画制御部１２０の動作シーケンスを制御する機能を持ち、例えば、画面分割処理部１１４にあっては、画面分割イベントの到来により起動された後、表示モニタ３の画面領域のｎ分割→分割領域選択→各領域内ランプモードの選択→ランプ画像制御→描画制御等の順序制御を行う。これらは、いずれも図２５以降に示すフローチャートを用いて詳述する。
【００１７】
図３に、モード設定テーブル１２１、図４にカレントランプモードテーブル１２２、図５に画面分割テーブル１２３、図６に選択領域テーブル１２４、図７に表示領域座標テーブル１２５の、それぞれのデータ構造の一例が示されている。
【００１８】
図３に示されるように、モード設定テーブル１２１には、入力イベントに基づき分割される画面領域（画面１〜画面ｎ）毎、あらかじめ用意された画面の点灯の有無を含むランプモード（マップランプモード、暖炉モード、ミラーボールモード、蛍光灯モード、電球モード）のそれぞれに関し、有効／無効に関する情報が設定される。
ここで、ランプモードを有効にするということは、各モードに対応して用意される照明画像による照明（表示モニタへ所定の輝度を持つ光の照射）を行なうことを意味する。
【００１９】
すなわち、ユーザ入力により、画面１〜画面ｎに対して、画面の点灯状態（（点灯の場合『Ｙｅｓ』、消灯の場合『ＮＯ』）、ランプモードの点灯１（マップランプ有効の場合『Ｙｅｓ』／無効の場合『Ｎｏ』）、ランプモードの点灯２（暖炉有効の場合『Ｙｅｓ』／無効の場合『Ｎｏ』）、ランプモードの点灯３（ミラーボール有効の場合『Ｙｅｓ』／無効の場合『Ｎｏ』）、ランプモードの点灯４（蛍光灯有効の場合『Ｙｅｓ』／無効の場合『Ｎｏ』）、ランプモードの点灯５（電球有効の場合『Ｙｅｓ』／無効の場合『Ｎｏ』））が、ＧＵＩ（Graphical User Interface）により提供されるモード設定画面に基づき設定可能になっている。
この場合、主制御装置１１１は、表示モニタ３にモード設定画面を表示し、ユーザはそのモード設定画面を確認しながら入力装置２を操作することにより分割画面毎のＹＥＳ／ＮＯを入力する。モード設定画面の一例は図１６に示されている。
【００２０】
主制御装置１は、入力取得部１１１を介してＹＥＳ／ＮＯ判定にかかわるデータ入力を取得してイベント判定部１１２へ引渡す。イベント判定部１１２は、このＹＥＳ／ＮＯ判定にかかわるデータ入力をイベントとしてとらえ、解析したうえで処理切替え部１１０を制御する。処理切替え部１１０は、イベント判定部１１２によるイベント判定結果に基づき対応する処理エンジンを起動、ここではモード変更設定処理部１１７を起動する。
【００２１】
なお、画面の点灯は、画面１から画面ｎの各領域に対して、ランプを点灯／消灯に関する設定を行い、この点灯状態は、関数ＬＩＧＨＴ（ＳＣＲＥＥＮ（ＮＵＭＢＥＲ））を実行することにより確認される。例えば、図３に示されるように、画面１の画面の点灯は、関数：ＬＩＧＨＴ（ＳＣＲＥＥＮ（１））を実行することにより『Ｙｅｓ』が確認される。
また、ランプモードの状態は、関数：ＳＴＡＴＥ_ＯＦ_ＬＡＭＰ_ＭＯＤＥ（ＬＡＭＰ（ＮＵＭＢＥＲ，ＳＣＲＥＥＮ（ＮＵＭＢＥＲ））を実行することにより確認される。例えば、図３に示されるように、画面３の暖炉の状態は、関数：ＳＴＡＴＥ_ＯＦ_ＬＡＭＰ_ＭＯＤＥ（ＬＡＭＰ（２），ＳＣＲＥＥＮ（３））を実行することにより『Ｙｅｓ』が確認される。ここで、ランプモード数は、『マップランプ』、『暖炉』、『ミラーボール』、『蛍光灯』、『電球』の５種類であり、定数は、ＭＯＤＥ_ＭＡＸ（５）とする。
【００２２】
一方、カレントランプモードテーブル１２２のデータ構造の一例が図４に示されている。カレントランプモードテーブル１２２には、画面毎、現在選択されて有効になっているランプモードが設定されており、ここでは、画面毎のカレント番号１〜５と、カレント位置、およびカレントランプ数が設定される。
主制御装置１１は、モード設定テーブル１２１を参照し、モード設定テーブル１２１のランプモードの点灯１〜５において、『Ｙｅｓ』のランプモードを抽出し、カレント１〜カレント５で示すカレント番号のフィールドに順にそのランプモードの番号（ランプモードの点灯１〜５）が代入される。画面毎のカレント位置は、現在選ばれているカレントランプの位置を、カレントランプ数は、画面毎抽出された『Ｙｅｓ』のランプモードの数を示す。
【００２３】
カレント位置は、関数：ＣＵＲＲＥＮＴ_ＯＦ_ＬＩＶＥ_ＬＡＭＰ（ＳＣＲＥＥＮ（ＮＵＭＢＥＲ））を実行することにより確認される。図４において、例えば、画面２の選択されているランプの位置は、関数：ＣＵＲＲＥＮＴ_ＯＦ_ＬＩＶＥ_ＬＡＭＰ（ＳＣＲＥＥＮ（２））を実行することにより、カレントランプの位置は『３』であることが確認できる。
【００２４】
なお、カレントランプモードとは、現在選択されているランプモードのことで、カレント位置の内容からカレント番号を判定し、画面１〜ｎに対するカレント番号から値を判定し、判定された値が現在選択されているランプモードの種類を表わす。
カレントランプモードは、関数：ＳＴＡＴＥ_ＯＦ_ＬＩＶＥ_ＬＡＭＰ（ＬＩＶＥ_ＬＡＭＰ（ＮＵＭＢＲＥＲ），ＳＣＲＥＥＮ（ＮＵＭＢＥＲ））を実行することにより確認される。図４に示されるように、例えば、画面２のカレントランプモードは、関数：ＳＴＡＴＥ_ＯＦ_ＬＩＶＥ_ＬＡＭＰ（３，ＳＣＲＥＥＮ（２））を実行することにより、『３』の『ミラーボール』であることが確認できる。また、カレントランプ数は、現在有効となっているランプモード数のことであり、図４において、例えば、画面１では、カレント１からカレント３までテーブル内に値が代入されているため、カレントランプ数は『３』である。
【００２５】
画面分割テーブル１２３のデータ構造の一例が図５に示されている。図５に示されるように、画面分割テーブル１２３の“０”番地には、現在有効になっている画面の分割数が代入される。デフォルトは『１』画面であり、画面分割指定があると、画面分割数が＋１ずつ更新（インクリメン）される。最大（ＭＡＸ）は『ｎ』であり、ｎ分割まで可能である。後述するように、『領域の選択』指定が無く、『画面消去』が選択された場合、画面分割数を−１更新（デクリメント）する。最小（ＭＩＮ）は『１』画面である。
また、アドレス“１”番地〜アドレス“ｎ”番地には、画面１から画面ｎのカレントランプのモード番号がそれぞれ代入される。なお、消灯の場合は、『０』が代入される。
【００２６】
選択領域テーブル１２４のデータ構造の一例が図６に示されている。図６に示されるように、選択領域テーブル１２４の“０”番地には、現在選択されている画面選択数が代入されている。また、“１”番地〜“ｎ”番地には、画面１から画面ｎが選択された場合『１』が代入され、選択が解除された場合、『０』が代入される。
【００２７】
表示領域座標テーブル１２５のデータ構造の一例が図７に示されている。図７に示されるように、表示領域座標テーブル１２５には、例えば、画面分割数が４（１〜４）の場合、画面１から画面４までの表示領域が設定される。
ここで、表示モニタ３（表示画面）が持つ全体の座標領域Ｘ、Ｙが、（０，０）から（４８９，２３９）とすれば、表示座標領域テーブル１２５には、（Ｘ１，Ｙ１，Ｘ２，Ｙ２）で、始点の（Ｘ１，Ｙ１）と終点の（Ｘ２，Ｙ２）が代入される。例えば、画面分割数が３の場合、画面３の表示領域（画像領域）は、（３２６，０）から（４８９，２３９）までが割り当てられる。
【００２８】
以下、図８〜図２２に示す動作概念図を参照しながら、この発明の実施の形態１に係る画像表示装置の概略動作について説明する。
図８は、選択画面枠の表示例である。図８に示されるように、例えば、図６に示す選択領域テーブル１２４の“１”番地から“ｎ”番地に『１』が設定されていれば、この発明の画像表示装置は、画面１から画面ｎが選択された状態であると認識してそれぞれの画面表示を行なう。
この場合、選択画面枠は、関数：ＷＡＫＵ（画面分割数，選択画面番号）によって示される。図中、太線枠は、現在選択されている枠であり、ｄは画面分割数、ｗは選択画面番号である。表示領域は、関数：ＤＩＳＰ（画面分割数，画面番号）により表現される。
【００２９】
図９は、画面分割とランプモード変更の流れについて概略ブロックチャートで示した図である。図９（ａ）に示されるように、この発明の画像表示装置１１は、ｎ分割指定の後（ステップＳＴ９１）、分割画面領域を選択し（ステップＳＴ９２）、各領域内のランプモードを選択する（ステップＳＴ９３）順序で制御を実行する。これらはいずれもユーザ入力に基づくイベントを契機に実行される。
なお、図９（ｂ）は、画面を２分割した場合のランプモードの変更の流れ、図９（ｃ）は、画面４分割した場合のランプモードの変更の流れを示し、いずれも、図９（ａ）に示した例との差異は、画面分割数の違いのみであり、ｎ分割の指定、分割領域の選択、各領域内ランプモードの選択の順序で制御がなされることに変わりはない。
【００３０】
図１０は、表示モニタへ所定の輝度を持つ光を照射する照明機能を実現するためのレイヤ構造の一例を示す図である。ここでは、ランプモードは、レイヤ毎割り当てた画像情報により実現するものとする。
図１０において、レイヤ１には、マップランプモードが割り当てられており、優先順位が一番高く、続いてレイヤ２の暖炉モード、レイヤ３のミラーボールモード、レイヤ４の蛍光灯モード、レイヤ５の電球モードの順で優先順位が昇順に設定されている。定数のＬＡＹＥＲ_ＭＡＸは、消灯以外のレイヤ数、すなわち、消灯以外のランプモード数を示す。
【００３１】
ここでは、定数のＬＡＹＥＲ_ＭＡＸは『５』になっており、主メモリ１２の作業領域に各レイヤの画像情報領域として割り当てられているレイヤ画像記憶部１２７には、レイヤ毎、異なる照明画像情報が書き込まれる。
すなわち、レイヤ１にはマップランプ（マップランプモード）が、レイヤ２には暖炉（暖炉モード）が、レイヤ３にはミラーボール（ミラーボールモード）が、レイヤ４は蛍光灯（蛍光灯モード）が、レイヤ５には電球（電球モード）が、それぞれ書き込まれている。なお、マップランプ、蛍光灯、電球に関し、基本的には該当領域を白色で塗り潰すこととするが、輝度が許す範囲で色を付し、ムードランプ的要素を付加してもよい。また、輝度は、表示モニタ３が液晶ディスプレイで構成される場合、バックランプの輝度制御によって決まる。
【００３２】
なお、図１１にランプＯＦＦ（消灯）時のレイヤ構造が示されている。図１１に示されるように、消灯時、最優先度を持つレイヤ０に割り当てられた記憶領域を黒で塗り潰すことによりランプが消灯されていることを表現するものとする。
【００３３】
図１２〜図１５は、ランプモード選択時におけるレイヤ構造を説明するために引用した図であり、それぞれ、マップランプモード選択時（図１２）、暖炉モード選択時（図１３）、ミラーボールモード選択時（図１４）、電球モード選択時（図１５）のレイヤ構造を示す。
図１２において、優先度順位が最上位に割り当てられたランプモード選択時、レイヤ１の画像は、他のレイヤに影響されることなくマップランプとして表示される。また、図１３に示されるように、中間レイヤである暖炉モード選択時、この発明の画像表示装置は、選択モードレイヤより上位のレイヤを全て透明に書替える処理を行う。すなわち、暖炉モードはレイヤ２に割り当てられているため、レイヤ２より上位に割り付けられたレイヤ１のマップランプを透明な画像に変更し、全てのレイヤを合成することにより、レイヤ２の暖炉画像が透けて見える。
【００３４】
また、図１４において、中間レイヤであるミラーボールモード選択時、画像表示装置は、選択モードレイヤより上位のレイヤを全て透明にする処理を実行する。すなわち、ミラーボールモードはレイヤ３に割り当てられており、レイヤ３より上位のレイヤは、レイヤ１、レイヤ２であるため、レイヤ１とレイヤ２の画像を透明画像とし、合成処理することにより、レイヤ３のミラーボール画像が透けて見える。
さらに、図１５において、優先順位が最下位に割り付けられているレイヤ５の電球モード選択時、画像表示装置は、選択モードレイヤより上位のレイヤ１〜４の画像を全て透明化する制御を実行する。すなわち、電球モードはレイヤ５に割り当てられているため、レイヤ５より上位のレイヤであるレイヤ１〜レイヤの画像を透明な画像に書替え、レイヤ５の電球モードが透けて見えるように制御する。
【００３５】
このように、画像情報により、表示モニタ３へ所定の輝度を持つ単色光を照射するマップランプ機能を実現でき、マップランプを取り付けることなくマップランプ照明を得ることができる。また、用意された照明画像情報に優先度を付すことにより、蛍光灯やミラーボール等の照明装置を取り付けることなく各種照明を楽しむことができる。
なお、上記したレイヤによる合成表示のための技術は周知であるため、ここでの説明は省略する。但し、この場合、いずれのレイヤともに、レイヤ解像度、カラーモード（ＲＧＢ：赤・緑・青、ＣＭＹＫ：シアン・マゼンタ・イエロー・ブラック、グレースケール等）は、等しく設定しておく必要がある。
【００３６】
図１６は、上記したＧＵＩ提供されるモード設定画面の一例を示す図である。図１６に示されるように、画面１から画面ｎのそれぞれに対して、モード設定ａからモード設定ｎのモード設定画面が表示される。
モード設定の変更は、『画面の点灯』と、『ランプモード』の２種類があり、『画面の点灯』は、全てのモード設定でＯＦＦ設定が可能であるが、ランプモードの変更は、『マップランプ』、『暖炉』、『ミラーボール』、『蛍光灯』、『電球』、の５種類のモード変更が可能であり、いずれか１つはＯＮ設定でなければならない。
【００３７】
なお、全てＯＦＦの設定は不可であり、ここで設定された状態は、図３に示したモード設定テーブル１２１に保存される。図３に示す画面の点灯『Ｙｅｓ』は、ここでは『ＯＮ』に該当し、『Ｎｏ』は『ＯＦＦ』に該当する。また、図３に示すランプモードの点灯の『Ｙｅｓ』は『ＯＮ』に該当し、『Ｎｏ』は『ＯＦＦ』に該当する。
【００３８】
図１７（ａ）〜図１７（ｅ）は、画面領域と上記したモード設定の関係を説明するために引用した図である。
図１７（ａ）に示す１画面の場合、主メモリ１２の作業領域に割り当てられる１個の画像記憶領域にモード設定ａを利用して描画が行われる。また、図１７（ｂ）に示す２画面の場合、２個の画像記憶領域に、モード設定ａ、モード設定ｂを利用して描画が行われる。
【００３９】
また、図１７（ｃ）に示す３画面の場合、主メモリ１２の作業領域に割り当てられる３個の画像記憶領域に、モード設定ａ、モード設定ｂ、モード設定ｃを利用して描画が行われる。更に、図７（ｄ）に示す４画面の場合、主メモリ１２の作業領域に割り当てられる４個の画像記憶領域に、モード設定ａ、モード設定ｂ、モード設定ｃ、モード設定ｄを利用して、描画が行われ、最後に、図１７（ｅ）に示すｎ画面の場合、主メモリ１２の作業領域に割り当てられるｎ個の画像記憶領域に、モード設定ａ、モード設定ｂ、モード設定ｃ、モード設定ｄ、…、モード設定ｎを利用して描画が行われる。
最終的には、いずれも表示領域座標テーブル１２５に設定されるアドレスに従い描画配置テーブル１２６に転送され描画される。
【００４０】
図１８〜図２０は、モード設定と、領域指定と、モード切替えとの関係について説明するために引用した図である。ここでは、画面の点灯は全て『ＯＮ』とし、また、領域指定の文字表記は、『領域番号／画面数』とする。
図１８から説明する。図１８（ａ）は１画面が領域指定された場合を例示しており、この場合、主メモリ１２の作業領域に、１個の画像記憶領域しか割り当てられないため、文字表記は『１／１』のみであり、モード設定ａで、ランプモードが『ＯＮ』になっているランプ順にモードの切替えが行われる。したがって、ここでは、マップランプ→暖炉→ミラーボール→蛍光灯→電球→マップランプの順でモード切替えが実行される。
【００４１】
図１８（ｂ）には、モード設定ａのランプモードの『ＯＮ』が２個以上の場合に行われるモード切替えの例が示されている。ここでは、マップランプ→蛍光灯→電球→マップランプ→蛍光灯→電球の順にモード切替えが行われる。
図１８（ｃ）には、モード設定ａのランプモードの『ＯＮ』が１個のみの場合に行われるモード切替えの例が示されている。ここでは、マップランプ→マップランプの順にモード切替えが行われる。
【００４２】
図１９は、２分割画面を例示している。２画面分割の場合、主メモリ１２の作業領域に２個の画像記憶領域が割り当てられるため、領域指定の文字表記は、『１：２（領域番号）／２（画面数）』と、『１（領域番号）／２（画面数）』と、『２（領域番号）／２（画面数）』の３種類存在する。
図１９（ａ）に示されるように、モード設定ａのランプモードが全て『ＯＮ』で、モード設定ｂのランプモードの『ＯＮ』が２個以上で、領域指定が『１：２／２』の場合のランプモードは、（マップランプ、マップランプ）→（暖炉、蛍光灯）→（ミラーボール、電球）→（蛍光灯、マップランプ）→（電球、蛍光灯）→（マップランプ、電球）の順に切替わる。
【００４３】
また、図１９（ｂ）に示されるように、モード設定ａのランプモードが全て『ＯＮ』で、モード設定ｂのランプモードの『ＯＮ』が２個以上で、領域指定が『１／２』の場合のランプモードは、（マップランプ、マップランプ）→（暖炉、マップランプ）→（ミラーボール、マップランプ）→（蛍光灯、マップランプ）→（電球、マップランプ）→（マップランプ、マップランプ）の順に切替わる。
更に、図１９（ｃ）に示されるように、モード設定ａのランプモードが全て『ＯＮ』で、モード設定ｂのランプモードの『ＯＮ』が２個以上で、領域指定が『２／２』の場合のランプモードは、（マップランプ、マップランプ）→（マップランプ、蛍光灯）→（マップランプ、電球）→（マップランプ、マップランプ）→（マップランプ、蛍光灯）→（マップランプ、電球）の順に切替わる。すなわち、領域指定された画面のみランプモードが切替わる。また、領域指定が全く無い場合のモード切替えは、領域指定が全領域にあるものとみなしてランプモードの切替えを行う。
【００４４】
図２０は、４分割画面を例示している。４画面の場合、主メモリ１２の作業領域に４個の画像記憶領域が割り当てられるため、領域指定は、領域指定の文字表記『１／４』『２／４』、『３／４』、『４／４』、『１：２／４』、『１：３／４』、『１：４／４』、『２：３／４』、『２：４／４』、『３：４／４』、『１：２：３／４』、『１：２：４／４』、『１：３：４／４』、『２：３：４／４』、『１：２：３：４／４』、の１５種類存在する。
図２０（ａ）に示されるように、ここでは、モード設定ａのランプモードが全て『ＯＮ』で、モード設定ｂのランプモードの『ＯＮ』が２個以上で、モード設定ｃのランプモードの『ＯＮ』が２個で、モード設定ｄのランプモードの『ＯＮ』が１個とする。
【００４５】
図２０（ｂ）において、領域指定が『１：２：３：４／４』の場合のランプモードは、（マップランプ、マップランプ、暖炉、蛍光灯）→（暖炉、蛍光灯、電球、蛍光灯）→（ミラーボール、電球、暖炉、蛍光灯）→（蛍光灯、マップランプ、電球、蛍光灯）→（電球、蛍光灯、暖炉、蛍光灯）→（マップランプ、電球、電球、蛍光灯）の順に切替わる。
また、図２０（ｃ）において、領域指定『１：３：４／４』の場合のランプモードは、（マップランプ、マップランプ、暖炉、蛍光灯）→（暖炉、マップランプ、電球、蛍光灯）→（ミラーボール、マップランプ、暖炉、蛍光灯）→（蛍光灯、マップランプ、電球、蛍光灯）→（電球、マップランプ、暖炉、蛍光灯）→（マップランプ、マップランプ、電球、蛍光灯）の順に切替わる。
【００４６】
更に、図２０（ｄ）において、領域指定『１：４／４』の場合のランプモードは、（マップランプ、マップランプ、暖炉、蛍光灯）→（暖炉、マップランプ、暖炉、蛍光灯）→（ミラーボール、マップランプ、暖炉、蛍光灯）→（蛍光灯、マップランプ、暖炉、蛍光灯）→（電球、マップランプ、暖炉、蛍光灯）→（マップランプ、マップランプ、暖炉、蛍光灯）の順に切替わる。
【００４７】
図２１、図２２は、画面消去処理の動作を説明するために引用した図である。この発明の画像表示装置は、領域の指定がなく、消去する場合は、画面分割数を１減らす制御を実行する。この場合の画面分割数の最小値は１である。なお、１画面時に画面消去する場合は電源ＯＦＦになる。また、モード設定の画面の点灯は変更が無い。
【００４８】
具体的に、図２１（ａ）に示されるように、領域の指定が無く、１画面の状態で消去が選択されると、画像表示装置は、電源ＯＦＦ制御を実行する。また、図２１（ｂ）に示されるように、領域の指定が無く、２分割画面の状態で消去が選択されると、１画面になるように制御する。更に、図２１（ｃ）に示されるように、領域の指定が無く、４分割画面の状態で消去が選択されると画面の３分割制御を実行する。ここで、消去される画面は、いずれも最終画面とするが任意選択事項とすることも可能である。
【００４９】
一方、領域指定があって画面消去する場合、画像表示装置は、画面分割数を変化させることなく、指定された領域のモード設定テーブル１２１における画面の点灯の値を『ＮＯ』に設定し、ランプＯＦＦ制御を実行する。
この場合、モード設定を確認すると、画面の点灯はＯＦＦになっている。なお、１画面時に領域を指定して消去する場合は、モード設定テーブル１２１における分割画面１の点灯の値を『ＮＯ』に設定して、ランプＯＦＦにする。
【００５０】
具体的に、図２２（ａ）に示されるように、領域指定『１／１』で消去した場合、領域指定『１／１』がランプＯＦＦになる。この場合、モード設定ａの画面の点灯がＯＦＦになる。また、図２２（ｂ）に示されるように、領域指定『２／２』で画面消去した場合、領域指定『２／２』がランプＯＦＦになる。この場合、モード設定ｂの画面の点灯がＯＦＦになる。
また、図２２（ｃ）に示されるように、領域設定『２／４』で画面消去した場合、領域指定『２／４』がランプＯＦＦになる。この場合、モード設定ｂの分割画面の点灯がＯＦＦになる。更に、図２２（ｄ）に示されるように、領域設定『２／４』、『３／４』で画面消去した場合、領域指定『２／４』、『３／４』がランプＯＦＦになる。この場合、モード設定ｂ、ｃの画面の点灯がＯＦＦになる。
【００５１】
図２３〜図４３は、この発明の実施の形態１に係る画像表示装置の詳細動作を説明するために引用したフローチャートである。
以下、図２３〜図４３を参照しながら、図１、図２に示す主制御装置１１の動作について詳細に説明する。
【００５２】
図２３には、入力装置２を介してユーザ入力があった場合のキーイベント処理が示されている。すなわち、本体装置１の主制御装置１１（入力取得部１１１）は、入力装置２に配置されたボタンやキー操作によるユーザ入力を常時監視しており、ユーザ入力があった場合、そのユーザ入力をイベントとして取得し、イベント判定部１１２へ引き渡す（ステップＳＴ２０）。
イベント判定部１１２は、入力取得部１１１により引き渡されたユーザ入力に基づき、以下に説明するイベント判定処理を行う（ステップＳＴ２１）とともに、シーケンス制御部１３０を起動する。
【００５３】
イベント判定部１１２によるイベント判定処理（ステップＳＴ２１）の詳細が図２４に示されている。図２４において、イベント判定部１１２は、まず、入力されたキーを、内部メモリ（不図示）に割り当てられたレジスタＫｅｙに代入し（ステップＳＴ２１０）、その内容を読み出してイベント種別を判定する（ステップＳＴ２１１）。
【００５４】
ここで、イベント判定部１１２が電源ＯＮイベントであると判定した場合、電源ＯＮ／ＯＦＦ処理部１１３による電源ＯＮ処理ルーチン（ステップＳＴ２１２）が、電源ＯＦＦイベントであると判定した場合、電源ＯＮ／ＯＦＦ処理部１１３による電源ＯＦＦ処理ルーチン（ステップＳＴ２１３）がそれぞれ起動され、シーケンス制御部１３０による動作シーケンスの制御が開始される。
【００５５】
また、画面分割イベントであると判定された場合、画面分割処理部１１４によって実行される画面分割処理ルーチンが起動され（ステップＳＴ２１４）、画面消去イベントであると判定された場合、画面消去処理部１１５による画面消去処理ルーチンがそれぞれ起動され、シーケンス制御部１３０による動作シーケンスの制御が開始される（ステップＳＴ２１５）。
一方、選択領域イベント、あるいは選択領域解除イベントであると判定された場合、選択領域処理部１１６による、それぞれ選択領域処理ルーチン（ステップＳＴ２１６）、選択領域解除処理ルーチン（ステップＳＴ２１７）が起動され、シーケンス制御部１３０による動作シーケンスの制御が開始される。
また、モード設定変更イベントであると判定された場合、モード設定変更処理部１１７によるモード設定変更処理ルーチン（ステップＳＴ２１８）が、ランプ変更イベントであると判定された場合、ランプ変更処理部１１８によるランプ変更処理ルーチン（ステップＳＴ２１９）がそれぞれ起動され、それぞれ、シーケンス制御部１３０による動作シーケンスの制御が開始される。
【００５６】
図２５に、上記した電源ＯＮ処理ルーチン（ステップＳＴ２１２）の詳細が示されている。すなわち、電源ＯＮ／ＯＦＦ処理部１１３は、シーケンス制御部１３０による制御の下、最初に選択領域テーブルクリア処理ルーチン（ステップＳＴ２２１）を実行し、続いて、画面分割テーブル画像処理ルーチン（ステップＳＴ２２２）を実行し、最後に描画処理ルーチン（ステップＳＴ２２３）を実行する。
【００５７】
まず、選択領域テーブルクリア処理ルーチン（ステップＳＴ２２１）において、電源ＯＮ／ＯＦＦ処理部１１３は、図２６のフローチャートに示されるように、内部メモリに割り付けられた処理カウンタＣ（不図示）に値“０”を代入して、処理カウンタＣ＝０とし（ステップＳＴ２３１）、この処理カウンタＣの値と、システムにより定義される画面分割数の最大数（ＭＡＸ）との条件比較を行なう（ステップＳＴ２３２）。
そして、Ｃ＞画面分割数のＭＡＸ値の条件が不成立の場合（ステップＳＴ２３２“ＮＯ”）、選択領域テーブル１２４のＣ番地に値“０”を代入し（ステップＳＴ２３３）、処理カウンタＣを＋１更新する（ステップＳＴ２３４）。以上の処理を、Ｃ＞画面分割数のＭＡＸの条件が成立するまで繰り返し（ステップＳＴ２３２“ＹＥＳ”）、選択領域テーブル１２４を構成する全てのビットを０クリアする。
【００５８】
説明を図２５のフローチャートに戻す。続いて、電源ＯＮ／ＯＦＦ処理部１１３は、画面分割テーブル画像処理ルーチン（ステップＳＴ２２２）を実行する。
この画面分割テーブル画像処理ルーチン（ステップＳＴ２２２）において、電源ＯＮ／ＯＦＦ処理部１１３は、図２７のフローチャートに示されるように、まず内部メモリに割り付けられる処理カウンタＣに値“１”を代入して処理カウンタＣ＝１とし（ステップＳＴ２４１）、画面分割テーブル１２３の“０”番地に設定される画面分割数を、内部メモリに割り付けられた処理カウンタＮ（不図示）に代入する（ステッブＳＴ２４２）。
【００５９】
そして、処理カウンタＣと処理カウンタＮとの値を比較し（ステップＳＴ２４３）、Ｃ＞Ｎの条件比較を行う（ステップＳＴ２４３）。
次に、この条件が不成立の場合（ステップＳＴ２４３“ＮＯ”）、関数：ＬＡＭＰ_ＪＵＤＧＥ（Ｎ，Ｃ）を実行することにより、後述するランプ判定処理ルーチンを実行し（ステップＳＴ２４４）、処理カウンタＣの値を＋１更新する（ステップＳＴ２４５）。以上の処理を、Ｃ＞Ｎの条件が成立するまで繰り返す（ステップＳＴ２４３“ＹＥＳ”）。
【００６０】
上記したランプ判定処理ルーチン（ステップＳＴ２４４）の詳細は図２８のフローチャートに示されている。
図２８に示されるように、電源ＯＮ／ＯＦＦ処理部１１３は、まず、画面分割テーブル１２３のＣ番地の値（画面毎のカレントランプのモード番号）が“０”であるか否かを判定するとともに、その値を内部メモリに割り付けられたレジスタＭ（不図示）に代入する（ステップＳＴ２５１）。
【００６１】
ここで、レジスタＭの値が“０”であればランプ画像処理部１１９を介してランプＯＦＦ画像処理ルーチンを、関数ＬＡＭＰ_ＯＦＦ_ＡＲＲＡＮＧＥ（Ｎ，Ｃ）により実行し（ステップＳＴ２５２）、“０”以外であれば、後述するランプ画像処理ルーチンを、関数ＬＡＭＰ_ＡＲＲＡＮＧＥ（Ｎ，Ｃ，Ｍ）により実行する（ステップＳＴ２５３）。
なお、Ｎは画面分割数、Ｃは分割された画面番号、Ｍはランプモード番号のそれぞれを示すものとする。すなわち、画面分割テーブル１２３のＣ番地の値が“０”であれば、画面を消灯し、“０”以外であれば、Ｃ番地に設定された値に基づくランプモードの表示を行う制御を実行する。
【００６２】
電源ＯＮ／ＯＦＦ処理部１１３は、ランプＯＦＦ画像処理ルーチン（ステップＳＴ２５２）を実行するにあたり、図２９のフローチャートに示されるように、描画配置テーブル１２６における表示領域座標テーブル１２５（ＤＩＳＰ（Ｎ，Ｃ））の領域の画像を、主メモリ１２の作業領域に割り当てられたレイヤ画像記憶部１２７のレイヤ０に設定する（ステップＳＴ２６１）。
【００６３】
電源ＯＮ／ＯＦＦ処理部１１３はまた、ランプ画像処理ルーチン（ステップＳＴ２５３）を実行するにあたり、図３０のフローチャートに示されるように、レイヤＯＮ処理ルーチン（ステップＳＴ２７１）、レイヤ透明化処理ルーチン（ステップＳＴ２７２）、レイヤ合成処理ルーチン（ステップＳＴ２７３）のそれぞれを順次実行する。
そして、電源ＯＮ／ＯＦＦ制御部１１３は、描画配置テーブル１２６における表示領域座標テーブル１２５（ＤＩＳＰ（Ｎ，Ｃ））の領域の画像を合成レイヤに設定する（ステップＳＴ２７４）。
【００６４】
電源ＯＮ／ＯＦＦ処理部１１３はまた、上記したレイヤＯＮ処理ルーチン（ステップＳＴ２７１）を実行するにあたり、図３１のフローチャートに示されるように、まず、レジスタＭ（不図示）に設定された値を判定する（ステップＳＴ２８１）。
ここで、レジスタＭの値が“１”の場合（ステップＳＴ２８１“１”）、シーケンス制御部１３０による制御の下、電源ＯＮ／ＯＦＦ制御部１１３により起動されるランプ画像処理部１１９は、レイヤ１のランプ画像をマップランプモードに設定し（ステップＳＴ２８２）、レジスタＭの値が２の場合（ステップＳＴ２８１“２”）、レイヤ２のランプ画像を暖炉モードに設定し（ステップＳＴ２８３）、レジスタＭの値が３の場合（ステップＳＴ２８１“３”）、レイヤ３のランプ画像をミラーボールモードに設定し（ステップＳＴ２８４）、レジスタＭの値が４の場合（ステップＳＴ２８１“４”）、レイヤ４のランプ画像を蛍光灯モードに設定し（ステップＳＴ２８５）、レジスタＭの値が５の場合（ステップＳＴ２８１“５”）、レイヤ５のランプ画像を電球モードに設定する（ステップＳＴ２８６）。
【００６５】
電源ＯＮ／ＯＦＦ処理部１１３は更に、上記したレイヤ透明化処理ルーチン（ステップＳＴ２７２）を実行するにあたり、図３２のフローチャートに示されるように、まず、内部メモリに割り当てられた処理カウンタＣに値“１”を代入する（ステップＳＴ２９１）。そして、処理カウンタＣの値と内部メモリに割り当てられたレシスタＭの値が等しいか否かを判定し（ステップＳＴ２９２）、等しくなければ（ステップＳＴ２９２“ＮＯ”）、レイヤＭの画像を透明化する処理を実行する（ステップＳＴ２９３）。
電源ＯＮ／ＯＦＦ処理部１１３は、続いて処理カウンタＣを＋１更新し（ステップＳＴ２９４）、以上の処理をＣ＝Ｍが成立する（ステップＳＴ２９２“ＹＥＳ”）まで繰り返し実行する。
【００６６】
電源ＯＮ／ＯＦＦ処理部１１３はまた、上記したレイヤ合成処理ルーチン（ステップＳＴ２７３）を実行するにあたり、図３３のフローチャートに示されるように、まず、内部メモリに割り当てられた処理カウンタＣに、システムによって定義されるレイヤ最大値（ＭＡＸ）を代入し、処理カウンタの値Ｃ＝０か否かを判定する（ステップＳＴ３０２）。
ここで、Ｃ≠０であれば（ステップＳＴ３０２“ＮＯ”）、合成レイヤにレイヤＣの画像を上書きする（ステップＳＴ３０３）。そして、電源ＯＮ／ＯＦＦ処理部１１３は処理カウンタＣの値を−１更新し（ステップＳＴ３０４）、以上の処理をＣ＝０が成立する（ステップＳＴ３０２“ＹＥＳ”）まで繰り返し実行する。
【００６７】
説明を図２５のフローチャートに戻す。電源ＯＮ／ＯＦＦ処理部１１３は、最後に描画処理ルーチンを実行する（ステップＳＴ２２３）。
図３４のフローチャートに示されるように、描画処理ルーチンを実行するにあたり、電源ＯＮ／ＯＦＦ処理部１１３は、描画配置テーブル１２６の画像をグラフィックスコントローラ１３の表示メモリ１４へ転送し（ステップＳＴ３１１）、描画配置テーブル１２６の画像をグラフィックスコントローラ１３による制御の下で表示モニタ３へ表示する。なお、描画配置テーブル１２６には、表示領域座標テーブル１２５に設定された画面位置であるＤＩＳＰ（Ｎ，Ｃ）に描画すべき合成レイヤの上書き画像が格納されている。
【００６８】
図３５に、電源ＯＦＦ処理ルーチン（ステップＳＴ２１３）の詳細が示されている。図３５のフローチャートに示されるように、電源ＯＮ／ＯＦＦ処理部１１３は、イベント判定部１１２により起動（イベントが電源ＯＦＦ）されると、シーケンス制御部１３０による制御の下、上記した描画処理ルーチン（ステップＳＴ２２３）の実行を中断し、電源を切断する処理を実行する（ステップＳＴ３２１）。
【００６９】
図３６に、上記した画面分割処理ルーチン（ステップＳＴ２１４）の詳細が示されている。図３６のフローチャートにおいて、画面分割処理部１１４は、まず、イベントとして入力される画面分割数がシステムによって制限された最大数ＭＡＸか否かを判定する（ステップＳＴ３３１）。最大数ＭＡＸを越える場合は（ステップＳＴ３３１“ＹＥＳ”）、これ以上画面分割できないことを示すテロップ等を表示モニタ３に表示してユーザに注意を喚起する（ステップＳＴ３３６）。
最大数ＭＡＸを越えない場合（ステップＳＴ３３１“ＮＯ”）、画面分割テーブル１２３の０番地に示される画面分割数を＋１更新（インクリメント）し（ステップＳＴ３３２）、上記した選択領域テーブルクリア処理を実行する（ステップＳＴ３３３）。画面分割処理部１１４は、続いて、上記した画面分割テーブル画像処理（ステップＳＴ３３４）、描画処理（ステップＳＴ３３５）を順次実行する。
【００７０】
なお、選択領域テーブルクリア処理は、図２６、画面分割テーブル画像処理は、図２７、描画処理は、図３４のそれぞれのフローチャートを用いて説明済みであり、その処理主体が、電源ＯＮ／ＯＦＦ処理部１１３から画面分割処理部１１４へ変わるだけであり、その手順は同様であるため、ここでの説明は、重複を回避する意味で省略する。
【００７１】
図３７に、上記した画面消去処理ルーチン（ステップＳＴ２１５）の詳細が示されている。図３７のフローチャートにおいて、画面消去処理部１１５は、まず、画面分割テーブル１２３の０番地の内容を参照し、指定された画面分割数が“１”であるか否かを判定する（ステップＳＴ３４１）。
画面分割数が“１”である場合（ステップＳＴ３４１“ＹＥＳ”）、画面消去処理部１１５は、更に、選択領域テーブル１２４の０番地の内容を参照し、選択領域数が“０”であるか否かを判定する（ステップＳＴ３４３）。ここで、選択領域数が“１”の場合（ステップＳＴ３４３“ＮＯ”）、モード設定テーブル１２１の分割画面における点灯の画面１の値を「ＮＯ」に変更し（ステップＳＴ３４４）、上記した電源ＯＦＦ処理を実行する（ステップＳＴ３４５）。電源ＯＦＦ処理（ステップＳＴ３４５）は、図３５を用いて説明済みであるため、ここでの説明は重複を回避する意味で省略する。
【００７２】
一方、ステップＳＴ３４１の処理において、選択領域数が“１以外”であった場合（ステップＳＴ３４１“ＮＯ”）、画面消去処理部１１５は、更に、選択領域テーブル１２４の０番地を参照して選択領域数が“０”であるか否かを判定する（ステップＳＴ３４２）。ここで、選択領域数が“０”の場合（ステップＳＴ３４２“０”）、画面分割数テーブル１２４の０番地の画面分割数を−１更新（デクリメント）し（ステップＳＴ３４６）、上記した画面分割テーブル描画処理（ステップＳＴ３４７）、描画処理（ステップＳＴ３４８）のそれぞれを実行する。
画面分割テーブル画像処理（ステップＳＴ３４７）、描画処理（ステップＳＴ３４８）のそれぞれは、図２７、図３４を用いて説明済みであるため、ここでの説明は重複を回避する意味で省略する。
【００７３】
また、ステップＳＴ３４２の処理において、選択領域数が“０”以外の場合（ステップＳＴ３４２“≠０”）、画面消去処理部１１５は、内部メモリに割り当てられたカウンタＣに処理回数“１”を設定し（ステップＳＴ３４９）、続いて、画面分割テーブル１２３の０番地を参照して、Ｃ＞画面分割数の条件判定を行う（ステップＳＴ３５０）。
【００７４】
上記した条件が不成立の場合（ステップＳＴ３５０“ＮＯ”）、画面消去処理部１１５は、更に、選択領域テーブル１２４のＣ番地の値を参照して“１”が設定されているか否かを判定する（ステップＳＴ３５１）。ここで、Ｃ番地に“１”が設定されていた場合（ステップＳＴ３５１“ＹＥＳ”）、モード設定テーブル１２１の画面Ｃに該当するモード（画面の点灯）の値を「ＮＯ」に変更し（ステップＳＴ３５２）、画面分割テーブル１２３のＣ番地に０を代入する（ステップＳＴ３５３）。
そして、カウンタＣを＋１更新し（ステップＳＴ３５４）、ステップＳＴ３５０の処理に戻り、Ｃ＞画面分割数の条件が成立するまで（ステップＳＴ３５０“ＹＥＳ”）、上記したステップＳＴ３５１〜ＳＴ３５４の処理を繰り返す。
【００７５】
なお、ステップＳＴ３５０の処理において、Ｃ＞画面分割数の条件が成立した場合（ステップＳＴ３５０“ＹＥＳ”）、画面消去処理部１１５は、選択領域テーブルクリア処理を実行し（ステップＳＴ３５５）、更に、画面分割テーブル１２３描画処理（ステップＳＴ３４７）、描画処理（ステップＳＴ３４８）を実行することにより画面消去処理を終了する。
選択領域テーブルクリア処理（ステップＳＴ３５５）、画面分割テーブル描画処理（ステップＳＴ３４７）、描画処理（ステップＳＴ３４８）のそれぞれは、図２６、図２７、図３４のそれぞれを用いて説明済みであるため、ここでの説明は重複を回避する意味で省略する。
【００７６】
図３８に、上記した選択領域処理ルーチン（ステップＳＴ２１６）の詳細が示されている。図３８のフローチャートにおいて、選択領域処理部１１６は、まず、イベントとして認識される選択された選択領域の、座標Ｘ，Ｙを取得する（ステップＳＴ３５６）。続いて、画面分割テーブル１２３の０番地に設定された画面分割数を、内部メモリに割り付けられたレジスタＮに設定し（ステップＳＴ３５７）、同じく内部メモリに割り付けたカウンタＣに“１（処理回数）”を設定する（ステップＳＴ３５８）。
次に、選択領域処理部１１６は、上記した座標Ｘ，Ｙは、ＤＩＳＰ（Ｎ，Ｃ）に含まれる座標か否かを判定し（ステップＳＴ３５９）、否であれば（ステップＳＴ３５９“ＮＯ”）、カウンタＣを＋１更新する（ステップＳＴ３６０）。そして、Ｃ＞Ｎの条件が成立するか否かを判定し（ステップＳＴ３６１）、不成立の場合（ステップＳＴ３６１“ＮＯ”）、ステップＳＴ３５９の処理に戻り、成立した場合（ステップＳＴ３６１“ＹＥＳ”）、選択領域処理を終了する。
【００７７】
一方、ステップＳＴ３５９の処理において、座標Ｘ，Ｙは、ＤＩＳＰ（Ｎ，Ｃ）に含まれる座標であると判定された場合（ステップＳＴ３５９“ＹＥＳ”）、選択領域処理部１１６は、更に、選択領域テーブル１２４のＣ番地に値“０（非選択）”が設定されているか否かを判定する（ステップＳＴ３６２）。
ここで。値“０”が設定されていた場合（ステップＳＴ３６２“ＹＥＳ”）、選択領域処理部１１６は、選択領域テーブル１２４のＣ番地の値を“１（選択）”に変更し（ステップＳＴ３６３）、選択領域テーブル１２４の０番地の選択領域数を＋１更新（インクリメント）する（ステップＳＴ３６４）。
【００７８】
続いて、選択領域処理部１１６は、後述する選択領域フレーム画像処理（ステップＳＴ３６５）、および上記した描画処理（ステップＳＴ３６６）を実行して選択領域処理を終了する。
なお、ステップＳＴ３６２の処理において、“１”が設定されていた場合は（ステップＳＴ３６２“ＮＯ”）、後述する選択領域フレーム画像処理（ステップＳＴ３６５）、および上記した描画処理（ステップＳＴ３６６）を実行して選択領域処理を終了する。描画処理（ステップＳＴ３６６）は、図３４のフローチャートを用いて説明済みであるため、ここでの説明は重複を回避する意味で省略する。
【００７９】
図３９に上記した選択領域フレーム画像処理（ステップＳＴ３６５）の詳細が示されている。図３９のフローチャートに示されるように、選択領域処理部１１６は、ランプ画像処理部１１９を起動し、描画配置テーブル１２６に、ＷＡＫＵ（Ｎ，Ｃ）の画像を重ね書きして選択領域フレーム処理を終了する（ステップＳＴ３７０）。
【００８０】
図４０に、上記した選択領域解除処理ルーチン（ステップＳＴ２１７）の詳細が示されている。図４０のフローチャートにおいて、選択領域処理部１１６は、まず、解除のために選択された領域の座標Ｘ，Ｙを取得する（ステップＳＴ３７１）。そして、画面分割テーブル１２３の０番地に示される画面分割数を内部メモリに割り付けられたカウンタＮに代入し（ステップＳＴ３７２）、おなじく内部ルモリに割り付けられる処理回数を示すカウンタＣに“１”を設定する（ステップＳＴ３７３）。
次に、領域選択処理部１１６は、上記した座標Ｘ，Ｙは、ＤＩＳＰ（Ｎ，Ｃ）に含まれる座標か否かを判定し（ステップＳＴ３７４）、否であれば（ステップＳＴ３７４“ＮＯ”）、カウンタＣを＋１更新する（ステップＳＴ３７５）。そして、Ｃ＞Ｎの条件が成立するか否かを判定し（ステップＳＴ３７６）、不成立の場合（ステップＳＴ３７６“ＮＯ”）、ステップＳＴ３７４の処理に戻り、成立した場合（ステップＳＴ３７６“ＹＥＳ”）、選択領域処理を終了する。
【００８１】
一方、ステップＳＴ３７４の処理において、座標Ｘ，Ｙは、ＤＩＳＰ（Ｎ，Ｃ）に含まれる座標であると判定された場合（ステップＳＴ３７４“ＹＥＳ”）、選択領域処理部１１６は、更に、選択領域テーブル１２４のＣ番地に値“１（選択）”が設定されているか否かを判定する（ステップＳＴ３７７）。
ここで、値“１”が設定されていた場合（ステップＳＴ３７７“ＹＥＳ”）、選択領域処理部１１６は、選択領域テーブル１２４のＣ番地の値を“０（非選択）”に変更し（ステップＳＴ３７８）、選択領域テーブル１２４の０番地の選択領域数を−１更新（デクリメント）する（ステップＳＴ３７９）。続いて、選択領域処理部１１６は、後述するランプ判定処理（ステップＳＴ３８０）、および上記した描画処理（ステップＳＴ３８１）を実行して選択領域処理を終了する。なお、ステップＳＴ３７７において、選択領域テーブル１２４のＣ番地に“０”が設定されていた場合は（ステップＳＴ３７７“ＮＯ”）、上記したランプ判定処理（ステップＳＴ３８０）、および描画処理（ステップＳＴ３８１）を実行して選択領域解除処理を終了する。
【００８２】
なお、ランプ判定処理（ステップＳＴ３８０）は、図２８、描画処理は、図３４を用いて説明済みであるため、ここでの説明は重複を回避する意味で省略する。
【００８３】
図４１に、上記したモード設定変更処理ルーチン（ステップＳＴ２１８）の詳細が示されている。図４１のフローチャートにおいて、モード設定変更処理部１１７は、まず、選択領域テーブルクリア処理を実行する（ステップＳＴ３８１）。この選択領域テーブルクリア処理（ステップＳＴ３８１）は、図２６のフローチャートを用いて説明済みであるため、ここでの説明は重複を回避する意味で省略する。
モード設定変更処理部１１７は、続いて、その変更の対象が画面の点灯か否かを判定する（ステップＳＴ３８２）。ここで、画面点灯の変更であれば（ステップＳＴ３８２“ＹＥＳ”）、変更する画面番号を参照して内部メモリに割り付けられた処理カウンタＣに代入する（ステップＳＴ３８３）。
【００８４】
続いてモード設定変更処理部１１７は、モード設定テーブル１２１を参照して変更前の画面Ｃの点灯モードを判定する（ステップＳＴ３８４）。ここでは、関数：ＬＩＧＨＴ（ＳＣＲＥＥＮ（Ｃ））により参照するものとする。
ここで、画面の点灯がＯＮの場合（ステップＳＴ３８４“ＹＥＳ”）、モード設定変更処理部１１７は、画面Ｃの画面の点灯の値を「ＹＥＳ」から「ＮＯ」に変更し（ステップＳＴ３８５）、画面分割テーブル１２３のＣ番地を“０”に設定する（ステップＳＴ３８６）。そして、画面分割テーブル画像処理（ステップＳＴ３９０）、描画処理（ステップＳＴ３９１）のそれぞれを実行してモード設定変更処理を終了する。なお、画面分割テーブル画像処理（ステップＳＴ３９０）は、図２７、描画処理（ステップＳＴ３９１）は、図３４を用いて説明済みであるため、ここでの説明は重複を回避する意味で省略する。
【００８５】
一方、画面の点灯がＯＦＦの場合（ステップＳＴ３８４“ＮＯ”）、モード設定変更処理部１１７は、画面Ｃの画面の点灯の値を「ＮＯ」から「ＹＥＳ」に変更し（ステップＳＴ３８７）、更に、画面Ｃの画面の点灯モードを関数：ＬＩＧＨＴ（ＳＣＲＥＥＮ（Ｃ））により判定する（ステップＳＴ３８８）。
ここで、画面の点灯がＯＮの場合（ステップＳＴ３８８“ＹＥＳ”）、モード設定変更処理部１１７は、関数：ＳＴＡＴＥ_ＯＦ_ＬＩＶＥ_ＬＡＭＰ（ＬＩＶＥ_ＬＡＭＰ（ＣＵＲＲＥＮＴ_ＯＦ_ＬＩＶＥ_ＬＡＭＰ（ＳＣＲＥＥＮ（Ｃ）），ＳＣＲＥＥＮ（Ｃ））を実行することにより、画面分割テーブル１２３のＣ番地に画面Ｃのカレントランプモードのモード番号を代入する（ステップＳＴ３８９）。そして、上記した画面分割テーブル画像処理（ステップＳＴ３９０）、描画処理（ステップＳＴ３９１）のそれぞれを実行してモード設定変更処理を終了する。
【００８６】
また、ステップＳＴ３８８の処理において、画面の点灯がＯＦＦの場合（ステップＳＴ３８８“ＮＯ”）、モード設定変更処理部１１７は、画面分割テーブル画像処理（ステップＳＴ３９０）、描画処理を実行して（ステップＳＴ３９１）、モード設定変更処理を終了する。
【００８７】
一方、ステップＳＴ３８２の処理において、変更の対象が画面の点灯の変更以外であった場合（ステップＳＴ３８２“ＮＯ”）、モード設定変更処理部１１７は、どのランプモードの点灯の変更か、モード番号を参照して内部メモリに割り付けられたレジスタＭに代入する（ステップＳＴ３９２）。そして、変更前のランプモードの状態を、関数：ＳＴＡＴＥ_ＯＦ_ＬＡＭＰ_ＭＯＤＥ（ＬＡＭＰ（Ｍ），ＳＣＲＥＥＮ（Ｃ））を実行することにより判定する（ステップＳＴ３９３）。
ここで、画面ＣのランプモードＭの状態がＯＮの場合（ステップＳＴ３９３“ＹＥＳ”）、モード設定変更処理部１１７は、画面ＣのランプモードＭの値を「ＹＥＳ」から「ＮＯ」に変更し（ステップＳＴ３９５）、後述するカレントランプモードの更新処理を実行する（ステップＳＴ３９７）。
【００８８】
また、画面ＣのランプモードＭの状態がＯＦＦ場合（ステップＳＴ３９３“ＮＯ”）、モード設定変更処理部１１７は、画面ＣのランプモードＭの値を「ＮＯ」から「ＹＥＳ」に変更し（ステップＳＴ３９６）、後述するカレントランプモードの更新処理を実行する（ステップＳＴ３９７）。
カレントランプモードの更新処理は、関数：ＬＡＭＰ_ＭＯＤＥ_ＵＰＤＡＴＥを実行することにより行なわれる。
【００８９】
図４２に、カレントランプモードの更新処理（ステップＳＴ３９７）の詳細が示されている。図４２のフローチャートにおいて、モード設定変更処理部１１７は、まず、内部メモリに割り付けられた処理カウンタＫに処理回数“１”を、処理カウンタＹに処理回数“０”をそれぞれ設定する（ステップＳＴ３９１１、ＳＴ３９１２）。
次に、モード設定変更処理部１１７は、Ｋ＞ランプモード数であるか判定し、Ｋ＞モード最大数の条件が成立するか否かを判定し（ステップＳＴ３９１４）、成立する場合（ステップＳＴ３９１４“ＹＥＳ”）、関数：ＣＵＲＲＥＮＴ_ＯＦ_ＬＩＶＥ_ＬＡＭＰ（ＳＣＲＥＥＮ（Ｃ））＝１を実行することにより、画面Ｃのカレント位置に、デフォルトの“１”を設定する（ステップＳＴ３９１５）。そして、関数ＣＵＲＲＥＮＴ_ＬＩＶＥ_ＬＡＭＰ_ＣＯＵＮＴ（ＳＣＲＥＥＮ（Ｃ））＝Ｙを実行することにより、画面Ｃのカレントランプ数にＹを代入する（ステップＳＴ３９１６）。
【００９０】
モード設定変更処理部１１７は、続いて、処理カウンタＹの値と、ランプモード数の一致の有無を判定し（ステップＳＴ３９１７）、不一致の場合（ステップＳＴ３９１７“ＮＯ”）、処理カウンタＹの値を＋１更新して（ステップＳＴ３９１８）、画面Ｃのカレントランプモードテーブル１２２のカレント番号Ｙの値にブランク（空白）を代入する（ステップＳＴ３９１９）。この処理は、ステップＳＴ３９１６の処理において、処理カウンタＹの値とランプモード数の一致の判定が確認（ステップＳＴ３９１７“ＹＥＳ”）されるまで繰り返し実行される。
【００９１】
一方、ステップＳＴ３９１４の処理において、Ｋ＞ランプモード数であるか判定し、Ｋ＞モード最大数の条件が不成立の場合（ＳＴ３９１４“ＮＯ”）、モード設定変更処理部１１７は、更に、画面Ｃのモード設定テーブル１２１のランプモード点灯Ｋのランプモードの状態を、関数：ＳＴＡＴＥ_ＯＦ_ＬＡＭＰ_ＭＯＤＥ（ＬＡＭＰ（Ｋ），ＳＣＲＥＥＮ（Ｃ））を実行することにより判定する（ステップＳＴ３９２０）。
ここで、ＯＮ状態に設定されていた場合（ステップＳＴ３９２０“ＹＥＳ”）、モード設定変更処理部１１７は、内部メモリに割り付けられた処理カウンタＹを＋１更新して（ステップＳＴ３９２１）、画面Ｃのカレントランプモードテーブル１２２のカレントＹの値にＫを代入し（ステップＳＴ３９２２）、更に、処理カウンタＫを＋１更新してステップＳＴ３９１４の処理に戻る（ステップＳＴ３９２３）。また、ＯＦＦ状態に設定されていた場合（ステップＳＴ３９２０“ＮＯ”）、モード設定変更処理部１１７は、処理カウンタＫを＋１更新してステップＳＴ３９１４の処理に戻る（ステップＳＴ３９２３）。
【００９２】
説明を図４１のモード設定変更処理に戻す。上記したカレントランプモード更新処理実行後（ステップＳＴ３９７）、モード設定変更処理部１１７は、モード設定テーブル１２１を参照して画面Ｃにおける画面の点灯状態を判定する（ステップＳＴ３８８）。点灯状態の判定は、関数：ＬＩＧＨＴ（ＳＣＲＥＥＮ（Ｃ））を実行することにより行なわれる。
ここで、ＯＮになっていれば（ステップＳＴ３８８“ＹＥＳ”）、関数：ＳＴＡＴＥ_ＯＦ_ＬＩＶＥ_ＬＡＭＰ（ＬＩＶＥ_ＬＡＭＰ（ＣＵＲＲＥＮＴ_ＯＦ_ＬＩＶＥ_ＬＡＭＰ（ＳＣＲＥＥＮ（Ｃ）），ＳＣＲＥＥＮ（Ｃ））を実行することにより、画面分割テーブル１２３のＣ番地に画面Ｃのカレントランプモードのモード番号を代入し（ステップＳＴ３８９）、画面分割テーブル画像処理（ステップＳＴ３９０）、そして、描画処理を実行する（ステップＳＴ３９１）。また、ＯＦＦになっていれば（ステップＳＴ３８８“ＮＯ”）、画面分割テーブル画像処理（ステップＳＴ３９０）、描画処理（ステップＳＴ３９１）のそれぞれを実行し、モード設定変更処理を終了する。
【００９３】
図４３は、ランプ変更処理（ステップＳＴ２１９）の詳細手順をフローチャートで示した図である。
図４３のフローチャートにおいて、ランプ変更処理部１１８は、まず、内部メモリに割り付けられたカウンタＣに、処理回数“０”を設定する（ステップＳＴ４０１）。続いて、画面分割数とＣの値とを比較し（ステップＳＴ４０２）、不一致の場合（ステップＳＴ４０２“ＮＯ”）、カウンタＣを＋１更新し（ステップＳＴ４０３）、画面分割テーブル１２３のＣ番地がｎであるか否かを判定する（ステップＳＴ４０４）。
なお、画面分割テーブル１２３のビット配列は、０番地に画面分割数が設定される他、１番地からｎ番地まで画面分割数に応じたカレントランプのモード番号が代入されていることは上記したとおりである。
【００９４】
ここで、Ｃ番地が“ｎ”に満たない場合（ステッフＳＴ４０４“ＮＯ”）、ランプ変更処理部１１８は、選択領域数＞０の条件設立の有無を判定し（ステップＳＴ４０５）、成立する場合（ステップＳＴ４０５“ＹＥＳ”）、選択領域テーブル１２４のＣ番地の値が“１”に設定されているか否かを判定する（ステップＳＴ４０６）。
選択領域テーブル１２４のＣ番地の値が“１”に設定されている場合（ステップＳＴ４０６“ＹＥＳ”）、ランプ変更処理部１１８は、画面Ｃのカレントランプモードテーブル１２２のカレント位置を１順回する（ステップＳＴ４０７）。すなわち、カレントランプモードテーブル１２２の内容が図４に示すデータ構造に設定されていた場合、画面Ｃが画面１に該当する場合、カレント１、カレント２、カレント３で順回し、画面３に該当する場合、カレント１、カレント２で順回する。
【００９５】
続いて、ランプ変更処理部１１８は、関数：ＳＴＡＴＥ_ＯＦ_ＬＩＶＥ_ＬＡＭＰ（ＬＩＶＥ_ＬＡＭＰ（ＣＵＲＲＥＮＴ_ＯＦ_ＬＩＶＥ_ＬＡＭＰ（Ｃ）），ＳＣＲＥＥＮ（Ｃ））を実行することにより、画面分割テーブル１２３のＣ番地にカレントランプのモード番号を設定して（ステップＳＴ４０８）、ステップＳＴ４０２の処理に戻る。以上の処理は、画面分割数が処理回数Ｃと一致するまで繰り返される。
なお、ステップＳＴ４０５の処理において、選択領域数＞０が不成立の場合（ステップＳＴ４０５“ＮＯ”）、ランプ変更処理部１１８は、ステップＳＴ４０６の処理をスキップして画面Ｃのカレントランプモードテーブル１２２のカレント位置を１順回する処理を実行する（ステップＳＴ４０７）。
【００９６】
一方、ステップＳＴ４０２の処理において、画面分割数が処理回数Ｃと一致した場合（ステップＳＴ４０２“ＹＥＳ”）、ランプ変更処理部１１８は、上記した画面分割テーブル画像処理（ステップＳＴ４０９）、選択領域フレーム画像処理（ステップＳＴ４１０）、描画処理（ステップＳＴ４１１）を順次実行してランプ変更処理を終了する。
なお画面分割テーブル画像処理（ステップＳＴ４０９）は、図２７、選択領域フレーム画像処理（ステップＳＴ４１０）は図３９、描画処理（ステップＳＴ４１１）は図３４を用いて説明済みであるため、ここでの説明は重複を回避する意味で省略する。
【００９７】
以上説明のように、この発明の実施の形態１に係る画像表示装置によれば、画像情報を用いて表示モニタ３へ所定の輝度を持つ単色光を照射することにより、ユーザが表示モニタ３を角度調整すること無く、かつ、表示モニタ３の開閉に依存することなく、照明装置しとても利用可能な画像表示装置を得ることができる。また、ナビゲーション等を主に行なう車載ディスプレイに応用した場合、ボタン操作等により画面領域を多分割し、例えば、「全面白」、「運転席側白」、「助手席側白」等のマップランプの切替えも可能であり、車載ディスプレイを車のマップランプ代わりに利用することができる。
更に、上記したマップランプのような単色光の他に、例えば、暖炉、ミラーボール、蛍光灯、電球等、異なる照明画像情報を用意し、これらに対して優先順位を付与して切替えることで、複数種の照明を選択表示することができ、ムードランプとしても利用できる。また、画面領域を多分割し、分割した各領域に対し上記した異なる照明機能を指定することも可能であり、この場合、複数のバリエーションにより照明を楽しむことができる。
【００９８】
なお、図２に示す主制御装置１１を構成する、処理切替え部１１０、入力取得部１１１、イベント判定部１１２、電源ＯＮ／ＯＦＦ処理部１１３、画面分割処理部１１４、画面消去処理部１１５、選択領域処理部１１６、モード設定変更処理部１１７、ランプ変更処理部１１８、ランプ画像処理部１１９、描画制御部１２０、シーケンス制御部１３０のそれぞれが持つ機能は、主制御装置１１が内蔵するＣＰＵが、主メモリ１２に格納されたプログラム（プログラム領域）を逐次読み出し、メモリを含む周辺ＬＳＩを制御することにより実現されるものである。
ここで、メモリとは、主メモリに割り付けられたモード設定テーブル１２１、カレントランプモードテーブル１２２、画面分割テーブル１２３、選択領域テーブル１２４、表示領域座標テーブル１２５、描画配置テーブル１２６等の各種テーブル領域、レイヤ画像記憶部１１７、その他画像記憶領域、更には、上記した処理カウンタＣ、Ｎ、あるいはレジスタＭ等が割り付けられる作業領域のことをいう。また、周辺ＬＳＩとは、本体装置１に接続される、入力装置２、表示モニタ３、通信機器４と、主制御装置１１との接続インタフェースとなる、入力ポート（不図示）、グラフィックスコントローラ１３、表示メモリ１４、ストレージメモリ１５、通信インタフェース１６のそれぞれをいう。
【００９９】
以上、この発明の実施の形態につき図面を参照して詳述したが、具体的な構成はこの実施の形態１に制限されるものではなく、この発明の要旨を逸脱しない範囲の設計等も含まれるものとする。
【図面の簡単な説明】
【０１００】
【図１】この発明の実施の形態１に係る画像表示装置の内部構成を示すブロック図である。
【図２】図１に示す画像表示装置の内部構成を機能展開して示したブロック図である。
【図３】この発明の実施の形態１に係る画像表示装置において使用されるモード設定テーブルのデータ構造の一例を示す図である。
【図４】この発明の実施の形態１に係る画像表示装置において使用されるカレントランプモードテーブルのデータ構造の一例を示す図である。
【図５】この発明の実施の形態１に係る画像表示装置において使用される画面分割テーブルのデータ構造の一例を示す図である。
【図６】この発明の実施の形態１に係る画像表示装置において使用される選択領域テーブルのデータ構造の一例を示す図である。
【図７】この発明の実施の形態１に係る画像表示装置において使用される表示領域座標テーブルのデータ構造の一例を示す図である。
【図８】この発明の実施の形態１に係る画像表示装置の動作を説明するために引用した図であり、画面分割に伴う選択画面枠の表示例を示す図である。
【図９】この発明の実施の形態１に係る画像表示装置の動作を説明するために引用した図である。
【図１０】この発明の実施の形態１に係る画像表示装置の動作を説明するために引用した図である。
【図１１】この発明の実施の形態１に係る画像表示装置の動作を説明するために引用した図である。
【図１２】この発明の実施の形態１に係る画像表示装置の動作を説明するために引用した図である。
【図１３】この発明の実施の形態１に係る画像表示装置の動作を説明するために引用した図である。
【図１４】この発明の実施の形態１に係る画像表示装置の動作を説明するために引用した図である。
【図１５】この発明の実施の形態１に係る画像表示装置の動作を説明するために引用した図である。
【図１６】この発明の実施の形態１に係る画像表示装置の動作を説明するために引用した図である。
【図１７】この発明の実施の形態１に係る画像表示装置の動作を説明するために引用した図である。
【図１８】この発明の実施の形態１に係る画像表示装置の動作を説明するために引用した図である。
【図１９】この発明の実施の形態１に係る画像表示装置の動作を説明するために引用した図である。
【図２０】この発明の実施の形態１に係る画像表示装置の動作を説明するために引用した図である。
【図２１】この発明の実施の形態１に係る画像表示装置の動作を説明するために引用した図である。
【図２２】この発明の実施の形態１に係る画像表示装置の動作を説明するために引用した図である。
【図２３】この発明の実施の形態１に係る画像表示装置の動作を説明するために引用したフローチャートである。
【図２４】この発明の実施の形態１に係る画像表示装置の動作を説明するために引用したフローチャートである。
【図２５】この発明の実施の形態１に係る画像表示装置の動作を説明するために引用したフローチャートである。
【図２６】この発明の実施の形態１に係る画像表示装置の動作を説明するために引用したフローチャートである。
【図２７】この発明の実施の形態１に係る画像表示装置の動作を説明するために引用したフローチャートである。
【図２８】この発明の実施の形態１に係る画像表示装置の動作を説明するために引用したフローチャートである。
【図２９】この発明の実施の形態１に係る画像表示装置の動作を説明するために引用したフローチャートである。
【図３０】この発明の実施の形態１に係る画像表示装置の動作を説明するために引用したフローチャートである。
【図３１】この発明の実施の形態１に係る画像表示装置の動作を説明するために引用したフローチャートである。
【図３２】この発明の実施の形態１に係る画像表示装置の動作を説明するために引用したフローチャートである。
【図３３】この発明の実施の形態１に係る画像表示装置の動作を説明するために引用したフローチャートである。
【図３４】この発明の実施の形態１に係る画像表示装置の動作を説明するために引用したフローチャートである。
【図３５】この発明の実施の形態１に係る画像表示装置の動作を説明するために引用したフローチャートである。
【図３６】この発明の実施の形態１に係る画像表示装置の動作を説明するために引用したフローチャートである。
【図３７】この発明の実施の形態１に係る画像表示装置の動作を説明するために引用したフローチャートである。
【図３８】この発明の実施の形態１に係る画像表示装置の動作を説明するために引用したフローチャートである。
【図３９】この発明の実施の形態１に係る画像表示装置の動作を説明するために引用したフローチャートである。
【図４０】この発明の実施の形態１に係る画像表示装置の動作を説明するために引用したフローチャートである。
【図４１】この発明の実施の形態１に係る画像表示装置の動作を説明するために引用したフローチャートである。
【図４２】この発明の実施の形態１に係る画像表示装置の動作を説明するために引用したフローチャートである。
【図４３】この発明の実施の形態１に係る画像表示装置の動作を説明するために引用したフローチャートである。
【符号の説明】
【０１０１】
１  本体装置、２  入力装置、３  表示モニタ、４  通信機器、１１  主制御装置、１２  主メモリ、１３  グラフィックスコントローラ、１４  表示メモリ、１５  ストレージメモリ、１６  通信インタフェース、１１０  処理切替え部、１１１  入力取得部、１１２  イベント判定部、１１３  電源ＯＮ／ＯＦＦ処理部、１１４  画面分割処理部、１１５  画面消去処理部、１１６  選択領域処理部、１１７  モード設定変更処理部、１１８  ランプ変更処理部、１１９  ランプ画像処理部、１２０  描画制御部、１２１  モード設定テーブル、１２２  カレントランプモードテーブル、１２３  画面分割テーブル、１２４  選択領域テーブル、１２５  表示領域座標テーブル、１２６  描画配置テーブル、１２７  レイヤ画像記憶部、１３０  シーケンス制御部。
【図１】
2008039927.tif 000003
【図２】
2008039927.tif 000004
【図３】
2008039927.tif 000005
【図４】
2008039927.tif 000006
【図５】
2008039927.tif 000007
【図６】
2008039927.tif 000008
【図７】
2008039927.tif 000009
【図８】
2008039927.tif 000010
【図９】
2008039927.tif 000011
【図１０】
2008039927.tif 000012
【図１１】
2008039927.tif 000013
【図１２】
2008039927.tif 000014
【図１３】
2008039927.tif 000015
【図１４】
2008039927.tif 000016
【図１５】
2008039927.tif 000017
【図１６】
2008039927.tif 000018
【図１７】
2008039927.tif 000019
【図１８】
2008039927.tif 000020
【図１９】
2008039927.tif 000021
【図２０】
2008039927.tif 000022
【図２１】
2008039927.tif 000023
【図２２】
2008039927.tif 000024
【図２３】
2008039927.tif 000025
【図２４】
2008039927.tif 000026
【図２５】
2008039927.tif 000027
【図２６】
2008039927.tif 000028
【図２７】
2008039927.tif 000029
【図２８】
2008039927.tif 000030
【図２９】
2008039927.tif 000031
【図３０】
2008039927.tif 000032
【図３１】
2008039927.tif 000033
【図３２】
2008039927.tif 000034
【図３３】
2008039927.tif 000035
【図３４】
2008039927.tif 000036
【図３５】
2008039927.tif 000037
【図３６】
2008039927.tif 000038
【図３７】
2008039927.tif 000039
【図３８】
2008039927.tif 000040
【図３９】
2008039927.tif 000041
【図４０】
2008039927.tif 000042
【図４１】
2008039927.tif 000043
【図４２】
2008039927.tif 000044
【図４３】
2008039927.tif 000045